(57)【特許請求の範囲】
【請求項１】
受話器（１０２）と、この受話器に着脱可能に取り付けられた送話器（１０４）とを備える電話機の送受話器（１００）であって、
取り外されたときに、該受話器および該送話器のうちのいずれか一方を、それぞれ人間のユーザの耳又は口に接近して配置することにより、該ユーザが通話によりそれぞれ聞いたり話したりするのに用いることができるとともに、該受話器および送話器のうちの他方を、該ユーザのそれぞれ耳又は口から遠く離れて配置された、単一の電話機の送受話器のマイクロフォンおよびスピーカへの同時的な接続の機能を有する音響カップラ（２０２）に接続することにより、該受話器及び該送話器の他方を、該音響カップラ（２０２）にてデータをそれぞれ受信もしくは送信するのに用いることが同時にできるようになっていることを特徴とする電話機の送受話器。
【請求項２】
請求項１に記載の電話機の送受話器において、
前記受話器および前記送話器が着脱可能にスナップ接合部やツイスト（差込口）接合部どちらか一方により接続される電話機の送受話器。
【請求項３】
請求項１に記載の電話機の送受話器において、
前記送話器は送受話器のコードに接続できるように構成され、
前記受話器は、スピーカと、前記受話器および前記送話器を介して前記送受話器のコードに前記スピーカが接続されている第２のコードとを有し、
前記第２のコードは人間のユーザが聞いたり話したりする際に前記受話器および前記送話器がそれぞれ十分に離れて使用できるのに十分な長さであり、
同時に通話中にデータ音響カプラを用いて、他方の前記受話器および前記送話器はそれぞれ受信または送信を行うことができ、
前記受話器および前記送話器が接続されて前記電話機の送受話器を形成した場合に、前記第２のコードは前記受話器および前記送話器の中に格納される電話機の送受話器。
【請求項４】
請求項１に記載の電話機の送受話器において、
前記送話器または前記受話器のどちらか一方は、前記送話器または前記受話器のどちらか一方から延在するとともに、前記送話器または前記受話器のどちらか一方の一端から他方の前記送話器または前記受話器の一端において着脱可能に接続されたハンドルを備えた電話機の送受話器。
【請求項５】
請求項１に記載の電話機の送受話器において、
前記送話器が前記受話器に接続されるために、一端を前記受話器に着脱可能に接続することができ、および、他端を前記送話器に着脱可能に接続することができるハンドルをさらに備えた電話機の送受話器。
【請求項６】
請求項１または請求項５の電話機の送受話器において、
耳の不自由な人のための遠距離通信装置に前記音響カプラを備えた電話機の送受話器。
【請求項７】
請求項４または請求項５に記載の電話機の送受話器において、
前記送話器は送受話器のコードに接続できるように構成され、そして、
前記受話器は、スピーカと、前記受話器、前記ハンドルおよび前記送話器を介して前記送受話器のコードに前記スピーカが接続されている第２のコードとを有し、
前記第２のコードは人間のユーザが聞いたり話したりする際に前記受話器および前記送話器がそれぞれ十分に離れて使用できるのに十分な長さであり、
と同時に通話中にデータ音響カプラを用いて、他方の前記受話器および前記送話器はそれぞれ受信または送信を行うことができ、
前記受話器、前記ハンドルおよび前記送話器が接続されて前記電話機の送受話器を形成した場合に、前記第２のコードは前記ハンドルの中に格納された電話機の送受話器。
【請求項８】
請求項１または請求項５に記載の電話機の送受話器において、
前記送話器は電話機に接続するための手段を有し、
前記受話器はスピーカと、前記手段および電話機に前記スピーカを接続するための無線リンクとを有する電話機の送受話器。
【請求項９】
請求項１または請求項５に記載の電話機の送受話器において、
前記送話器はマイクロフォンを有し、そして
前記受話器はスピーカと、マイクロフォンの出力を前記スピーカに到達する前に防止するための接続手段とを有する電話機の送受話器。
【請求項１０】
請求項１または請求項５に記載の電話機の送受話器において、
前記受話器は、ヘッドマウントへ前記受話器を備え付けるための手段を有する電話機の送受話器。
【発明の詳細な説明】
【０００１】
【発明の属する技術分野】
本発明は、概して耳の不自由な人のための遠距離通信機器に関する。
【０００２】
【従来の技術】
聴覚障害者は耳の不自由な人々のための遠距離通信機器（ＴＤＤｓ：Telecommunication devices for the deaf）を使用することにより電話線で通信しており、テレタイプライタ（ＴＴＹｓ）もまた同様に知られている。いくらかのアルファベットと数字を組み合わせたテキストを１，２行しか表示できないような一般的なものを除いては、ＴＴＤｓはポータブルラップトップコンピュータに似ている。ＴＴＤｓは標準的な通信速度による通信プロトコル（非同期、無搬送波、半二重、周波数シフトキーイング、４５．４５ボー）において電話線により通信できる。
【０００３】
おおよそ１０年位前から、ほとんどのＴＤＤｓは吸引カップに似ている音響カプラを備えるようになり標準的な電話機の送受話器に設置されるようになった。ＴＤＤｓは送受話器のマイクロフォンとスピーカを通じて通信するようになった。現今では、ほとんどのＴＤＤｓプラグは直接壁の電話機のジャックに入っていて、また、興味深いことに、高価なモデルには電話機の送受話器を接続することができる音響カプラを付属している。
【０００４】
いくらかのＴＤＤｓユーザは、音声−ＴＤＤ混合通信を使用したいと望んでいる。つまり、ユーザは通信でＴＤＤを使用したいと望み、他方では音声でＴＤＤを使用したいと望んでいる。例えば、耳が不自由でも明瞭に話をできる人が、ＴＤＤにより受信し、音声によって返答したいと望んでいる。逆に、耳は良く聞こえるが話すことが困難な人は、相手方からは音声により受信し、ＴＤＤによって返答したいと望んでいる。人々は、このような混合モデルにより通信したいと望んでいるし、同じように、他方では、人々はこの通話の最後にＴＤＤｓで音響カプラを使用しなければならず、電話機の送受話器を連続的に音響カプラにはめ込まなければならないし、連続的にＴＤＤと音声通信の間のスイッチングするためにＴＤＤの音響カプラからはずさなければならない。それは非常に扱いにくく、分断的である。
【０００５】
【発明が解決しようとする手段】
本発明は従来技術のこのような問題と不利益の解決を対象とするものである。この発明の１つの局面によると、電話機の送受話器の受話器と送話器はお互いに着脱可能に取り付けられており、取り外されたときに、受話器および送話器のうちのいずれか一方を、人間のユーザが通話によりそれぞれ聞いたり話したりするのに用いることができる。そして、そのとき同時に、受話器および送話器の他方を音響カップラにてデータを、それぞれ受信もしくは送信するのに用いることができるようになっている。本発明の別の局面によると、電話機の送受話器は受話器、送話器およびハンドルで構成されていて、ハンドルの一端に送話器が着脱可能に取り付けられていて、他方の一端に受話器が着脱可能に取り付けられており、それぞれ受話器と送話器は、別々に取り外して人間のユーザが、通話により、それぞれ聞くことと話すことを可能にしており、同時に、音響カプラを用いることにより受話器および送話器はデータの受信または送信を可能にしている。
【０００６】
電話機の送受話器はこの発明において、混合ＴＤＤ−音声方法と標準的な方法の両方の操作において送受話器は都合が良く使用できることを可能にする。この発明はこのように送受話器が混合方法端末のように使用され装備されているどのユーザの音声端末でも可能にする。取り外して独立した受話器がヘッドマウントに備え付けられれば、ＴＤＤ操作においてタイピングするための両手が自由になり、受信−音声／送信−ＴＤＤ方法の操作時において送受話器を使用するときに両手が自由になりさらに簡易になる。受話器にＴＤＤによる送信時に自動的に側音経路をミュートする装置が装備されると、タイピングの際に、彼または彼女のＴＤＤによる通信トーン信号はユーザには聞こえない。
【０００７】
これらまたはその他の特徴およびこの発明の利点は、次に示す図を用いた具体的例を述べることでもっと明らかになることでしょう。
【０００８】
【発明の実施の形態】
図１は、本発明の電話機の送受話器１００の具体的な実施の形態である。送受話器１００は従来のようにスピーカ１０３を有する受話器１０２、マイクロフォン１０５を有する送話器１０４および送受話器コード１０７、そして受話器１０２と送話器１０４との間にハンドル１０６がある。従来のように、構成要素１０２〜１０６は単体の中空の胴体である。本発明では、構成要素１０２〜１０６が不連続要素になり、１０８および１１０接合部でお互いに着脱可能に取り付けられたものである。あるいは、ハンドル１０６および送話器１０４がお互いに固定されていれば、接合部１１０は存在しない。接合部１０８および１１０は従来技術の実例としてスナップ接合部やツイスト（差込口）接合部である。構成要素１０２〜１０６をお互いに接続した送受話器１００は従来の装置として使用できる。しかしながら、図２〜図４に示すように、接合部１０８または１１０で分離した場合、構成要素１０２〜１０６は、混合方法ＴＤＤ−音声通信において次の場合に簡単に使用することができる。それは、一つの構成要素１０２または１０４が送受話器と同じように使用している間に他の構成要素１０２または１０４をＴＤＤ２００の音響カプラ２０２と一緒に使用することができる。図２および図３に示すように、送話器１０２および受話器１０４はお互いに適当な距離をおいて分離することができ、スピーカ１０３は長いコード１０９により送受話器のコード１０７に接続しており、図４に示すように構成要素１０２〜１０６がそれぞれ接続されたとき、そのコードはハンドル１０６にまで延在され、ハンドル１０６の中に格納され、または無線リンク１１３により接続される。送信機１１５は送話器１０４に接続され、受信機１１６は受話器１０２に接続される。
【０００９】
図２および図３に示すように、ユーザがＴＤＤ２００により送信したい場合、およびＴＤＤ２００の音響カプラ２０２により送話器１０４で音声を受信したい場合および彼または彼女の耳によって受話器１０２により受信したい場合、図２に示すように、ハンドル１０６を受話器１０２に接続し、ユーザは手によって彼または彼女の耳に受話器１０２を当てる。しかしながら、彼または彼女がＴＤＤ２００でタイプして送信する必要がある場合は、これは扱いにくい。それゆえに、好ましい方法は、図３に一つ示すと、ユーザはヘッドフォンのようにヘッドマウント４００を受話器１０２と共に効果的に使用し、彼または彼女の耳に受話器１０２を保持しハンズフリーの状態を構成する。この構成では、ハンドル１０６は不必要で、受話器１０２に付属することは望まれず、そしてそれゆえに接合部１００も除かれる。
【００１０】
ユーザが話しによって送信し、ＴＤＤ２００の音響カプラ２０２に受話器１０２を設置してＴＤＤ２００により受信したい場合、彼または彼女の口の位置に送話器１０４をハンドル１０６を用いて保持する場合を図４に示す。
【００１１】
上記に述べた具体的な実施例はさまざまな変更や修正が当業者には明らかであることは当然である。例えば、受話器がスピーカ入力時にＴＤＤが送話器を通して送信しているとき、側音経路は自動的にミュートされる装置を含んでいれば、ユーザがタイプをしているときユーザはＴＤＤｓの通信音は聞こえない。そのような変更や修正は、精神から外れて考えられるものではなく、この発明の範囲内であって、そして、結果として利点の縮小を伴うものではない。それゆえに、そのような変更や修正は従来技術により限定されたものを除いては、列挙する請求項でカバーしている。
【図面の簡単な説明】
【図１】本発明の具体的実施例を含んだ電話機の送受話器の正面図である。
【図２】混合送信−ＴＤＤ／受信−音声環境における図１の送受話器の第１の実施例である。
【図３】混合送信−ＴＤＤ／受信−音声環境における図１の送受話器の第２の実施例である。
【図４】混合送信−音声／受信−ＴＤＤ環境における図１の送受話器の実施例である。
【符号の説明】
１００  送受話器
１０２  受話器
１０３  スピーカ
１０４  送話器
１０５  マイクロフォン
１０６  ハンドル
１０７  コード
１０８  接合部
１０９  コード
１１０  接合部
１１３  無線リンク
１１５  送信機
１１６  受信機
２００  ＴＤＤ
２０２  音響カプラ
４００  ヘッドマウント
【図１】
0003830823.tif 000002
【図２】
0003830823.tif 000003
【図３】
0003830823.tif 000004
【図４】
0003830823.tif 000005